(57)【特許請求の範囲】
【請求項１】
ビデオデータ、及びグラフィックデータを記録した保存媒体からインタラクティブ・グラフィック・ストリームを再生する方法において、
前記保存媒体からインタラクティブ・グラフィック・ストリームを読込む段階と、
前記読込んだインタラクティブ・グラフィック・ストリームをデコーディングする段階と、
前記読込んだインタラクティブ・グラフィック・ストリームのタイプを決定する段階と、
前記デコーディングされたインタラクティブ・グラフィック・ストリームとビデオデータとをブレンドし、前記デコーディングされたインタラクティブ・グラフィック・ストリームが一般のインタラクティブ・グラフィック・ストリームである時は、前記ブレンドされたデータでメニュー画面を指定の出力開始時間から出力完了時間までディスプレイし、前記デコーディングされたインタラクティブ・グラフィック・ストリームがオンデマンド・インタラクティブ・グラフィック・ストリームである時、活性化命令を受ければ、前記ブレンドされたデータでメニュー画面をディスプレイする段階とを含むことを特徴とする再生方法。
【請求項２】
前記デコーディングされたインタラクティブ・グラフィック・ストリームがオンデマンド・インタラクティブ・グラフィック・ストリームである時、前記ブレンド段階は、再生装置レジスターから前記オンデマンド・インタラクティブ・グラフィック・ストリームの活性化準備ができていることを示す初期メニューページをディスプレイするか否かを示すｄｉｓｐ＿ｆｌａｇを読込む段階と、
前記ｄｉｓｐ＿ｆｌａｇが第１値であれば、前記オンデマンド・インタラクティブ・グラフィック・ストリームの活性化準備ができていることを示す初期メニューページをディスプレイする段階と、
前記ｄｉｓｐ＿ｆｌａｇが前記第１値と異なる第２値であれば、活性化命令を無視する段階とを含むことを特徴とする請求項１に記載の再生方法。
【請求項３】
リモコンのようなユーザインターフェースから活性化命令語を受信すれば、前記ブレンドされたデータで最初のメニューページをディスプレイすることを特徴とする請求項２に記載の再生方法。
【請求項４】
前記決定段階は、ＩＣＳのｓｅｇｍｅｎｔ＿ｔｙｐｅフィールドを分析する段階を含むことを特徴とする請求項１に記載の再生方法。
【請求項５】
セグメントのタイプを示す前記ｓｅｇｍｅｎｔ＿ｔｙｐｅフィールドはｓｅｇｍｅｎｔ＿ｄｅｓｃｒｉｐｔｏｒフィールドに位置することを特徴とする請求項４に記載の再生方法。
【請求項６】
前記ｓｅｇｍｅｎｔ＿ｔｙｐｅフィールドは、一般のインタラクティブ・グラフィック・ストリームタイプは０ｘ１８という値を有し、オンデマンド・インタラクティブ・グラフィック・ストリームタイプは０ｘ１９という値を有するように定義されることを特徴とする請求項５に記載の再生方法。
【請求項７】
前記一般のインタラクティブ・グラフィック・ストリームと前記オンデマンド・インタラクティブ・グラフィック・ストリームとは同じ構造を有していることを特徴とする請求項１に記載の再生方法。
【請求項８】
前記決定段階は、ＩＣＳのＩＣＳ＿ｔｙｐｅフィールドを分析する段階を含むことを特徴とする請求項１に記載の再生方法。
【請求項９】
前記ＩＣＳ＿ｔｙｐｅフィールドは、ＩＣＳ＿ｔｙｐｅの値が第１値であれば、一般のインタラクティブ・グラフィック・ストリームを示し、ＩＣＳ＿ｔｙｐｅ値が前記第１値と異なる第２値であれば、オンデマンド・インタラクティブ・グラフィック・ストリームを示すように定義されることを特徴とする請求項８に記載の再生方法。
【請求項１０】
前記決定段階は、前記インタラクティブ・グラフィック・ストリームの構造を分析する段階を含むことを特徴とする請求項１に記載の再生方法。
【請求項１１】
前記一般のインタラクティブ・グラフィック・ストリームと前記オンデマンド・インタラクティブ・グラフィック・ストリームとの構造が異なることを特徴とする請求項１０に記載の再生方法。
【請求項１２】
前記オンデマンド・インタラクティブ・グラフィック・ストリームの構造は、第１から第ｎ番目までのメニューページを定義することを特徴とする請求項１１に記載の再生方法。
【請求項１３】
前記メニューページのうち少なくとも１つは、オンデマンド・インタラクティブ・グラフィック・ストリームがデコーディングされ、活性化準備ができていることを示す初期ボタンを含む初期メニューページであり、他のメニューページは前記オンデマンド・インタラクティブ・グラフィック・ストリームが活性化された後にディスプレイされるボタンを含むことを特徴とする請求項１２に記載の再生方法。
【発明の詳細な説明】
【技術分野】
【０００１】
本発明は、マルチメディア映像の再生に係り、特に、ユーザの要求により活性化されるインタラクティブ・グラフィック・ストリームの再生方法に関する。
【背景技術】
【０００２】
マルチメディア映像を再生するために、保存媒体には、マルチメディア映像に関するＡＶデータ、ＡＶデータの再生を制御するナビゲーションデータ、そして保存媒体が再生装置に挿入されれば、最初に再生されるＡＶデータのタイトルに関する指示情報などを含むシステムデータなどが記録される。その他に、保存媒体にはその他の付加データが含まれうる。特に、ＡＶデータ（Ａｕｄｉｏ−ｖｉｓｕａｌ  ｄａｔａ）は、ビデオ、オーディオ、サブタイトル、メニューなどの再生に必要な多様な情報が１つのメインストリームに多重化されて記録される。
【０００３】
図１は、保存媒体に記録されたＡＶデータの構造を示す図である。図１を参照するに、マルチメディア映像を再生するための保存媒体には、ビデオストリーム１０２、オーディオストリーム１０４、サブタイトルを提供するためのプレゼンテーション・グラフィック・ストリーム１０６及びメニュー画面を提供するためのインタラクティブ・グラフィック・ストリーム１０８が多重化されて１つのメインストリームに記録される。多重化されたメインストリームを以下ではＡＶデータ１１０と略称する。
【０００４】
図２は、ＡＶデータ１１０を記録した保存媒体を再生するための再生装置の構造を示す図である。図２を参照するに、マルチメディア映像を再生するための再生装置は、前述したナビゲーションデータをロードして、ＡＶデータ１１０を再生するために必要な制御情報を得る。例えば、ＡＶデータのコーディングタイプ、ビット率、ＡＶデータが記録された領域情報、ＡＶデータに含まれたデータの種類についての情報がそれである。このような制御情報を参照して、読込部２１０、デマルチプレクサ２２０及び各デコーダ２３０ないし２６０の動作を制御する。
【０００５】
具体的に、読込部２１０は、前述したＡＶデータが記録された領域情報を用いて保存媒体２００から多重化されたＡＶデータ１１０を読込み、これをデマルチプレクサ２２０に伝送する。デマルチプレクサ２２０は、伝送されたＡＶデータ１１０をデータ種類によってビデオストリーム１０２、オーディオストリーム１０４、プレゼンテーション・グラフィック・ストリーム１０６、及びインタラクティブ・グラフィック・ストリーム１０８に分離して該当デコーダ２３０ないし２６０に伝送する。該当デコーダに伝送された各ストリームは、データ種類に合わせてデコーディングされ、指定された時間に画面上に出力可能に準備される。デコーディングされたビデオストリームとプレゼンテーション・グラフィック・ストリーム及び／またはインタラクティブ・グラフィック・ストリームは、ブレンダ２７０を通じて１つの映像にオーバレイされる。最後に、ユーザが設定した出力状態に基づいて選択された映像が画面に出力される。例えば、サブタイトルのオン／オフ、オーディオ音消去のようにユーザの選択に基づいて再生装置の出力状態が制御されうる。
【０００６】
特に、インタラクティブ・グラフィックデコーダ２５０は、保存媒体２００からインタラクティブ・グラフィック・ストリーム１０８を伝送され、これをデコーディングした後、指定された時間になれば、画面上にボタンなどが含まれたメニュー画面を出力する。出力されたメニュー画面でユーザが特定ボタンを選択することによって、ユーザの選択を入力されうる。すなわち、ユーザとの相互作用機能を提供しうる。
【０００７】
しかし、従来の再生装置は、映画のようなマルチメディア映像を再生する場合、ユーザが所望しない場合でも指定された時間になれば、無条件メニュー画面を出力する。このように映画の鑑賞中に所望しないメニュー画面が出力されれば、ユーザは相当な不便さを感じうる。
【発明の開示】
【発明が解決しようとする課題】
【０００８】
したがって、本発明の目的は、前述した問題点を解決するために、ユーザとの相互作用を支援するためのインタラクティブ・グラフィック・ストリームの機能を拡張して、ユーザの要求によって活性化されるオンデマンド・インタラクティブ・グラフィック・ストリームの再生方法を提供することである。
【課題を解決するための手段】
【０００９】
前記目的は、保存媒体からインタラクティブ・グラフィック・ストリームを再生する方法において、保存媒体からインタラクティブ・グラフィック・ストリームを読込む段階と、読込んだインタラクティブ・グラフィック・ストリームをデコーディングする段階と、読込んだインタラクティブ・グラフィック・ストリームのタイプを決定する段階と、デコーディングされたインタラクティブ・グラフィック・ストリームとビデオデータとをブレンドし、デコーディングされたインタラクティブ・グラフィック・ストリームが一般のインタラクティブ・グラフィック・ストリームである時は、ブレンドされたデータでメニュー画面を指定の出力開始時間から出力完了時間までディスプレイし、デコーディングされたインタラクティブ・グラフィック・ストリームがオンデマンド・インタラクティブ・グラフィック・ストリームである時、活性化命令を受ければ、ブレンドされたデータでメニュー画面をディスプレイする段階とを含むことにより達成される。
【００１０】
デコーディングされたインタラクティブ・グラフィック・ストリームがオンデマンド・インタラクティブ・グラフィック・ストリームである時、ブレンド段階は、再生装置レジスターからオンデマンド・インタラクティブ・グラフィック・ストリームの活性化準備ができていることを示す初期メニューページをディスプレイするか否かを示すｄｉｓｐ＿ｆｌａｇを読込む段階と、ｄｉｓｐ＿ｆｌａｇが第１値であれば、オンデマンド・インタラクティブ・グラフィック・ストリームの活性化準備ができていることを示す初期メニューページをディスプレイする段階と、ｄｉｓｐ＿ｆｌａｇが第１値と異なる第２値であれば、活性化命令を無視する段階とを含むことが望ましい。
【００１１】
また、リモコンのようなユーザインターフェースから活性化命令語を受信すれば、前記ブレンドされたデータで最初のメニューページをディスプレイすることが望ましい。
【００１２】
また、決定段階は、ＩＣＳのｓｅｇｍｅｎｔ＿ｔｙｐｅフィールドを分析する段階を含むことが望ましい。
【００１３】
また、セグメントのタイプを示すｓｅｇｍｅｎｔ＿ｔｙｐｅフィールドはｓｅｇｍｅｎｔ＿ｄｅｓｃｒｉｐｔｏｒフィールドに位置することが望ましい。
【００１４】
また、ｓｅｇｍｅｎｔ＿ｔｙｐｅフィールドは、一般のインタラクティブ・グラフィック・ストリームタイプは０ｘ１８という値を有し、オンデマンド・インタラクティブ・グラフィック・ストリームタイプは０ｘ１９という値を有するように定義されることが望ましい。
【００１５】
また、一般のインタラクティブ・グラフィック・ストリームとオンデマンド・インタラクティブ・グラフィック・ストリームとは同じ構造を有していることが望ましい。
【００１６】
また、決定段階は、ＩＣＳのＩＣＳ＿ｔｙｐｅフィールドを分析する段階を含むことが望ましい。
【００１７】
また、ＩＣＳ＿ｔｙｐｅフィールドは、ＩＣＳ＿ｔｙｐｅの値が第１値であれば、一般のインタラクティブ・グラフィック・ストリームを示し、ＩＣＳ＿ｔｙｐｅ値が第１値と異なる第２値であれば、オンデマンド・インタラクティブ・グラフィック・ストリームを示すように定義されることが望ましい。
【００１８】
また、決定段階は、インタラクティブ・グラフィック・ストリームの構造を分析する段階を含むことが望ましい。
【００１９】
また、一般のインタラクティブ・グラフィック・ストリームとオンデマンド・インタラクティブ・グラフィック・ストリームとの構造が異なることが望ましい。
【００２０】
また、オンデマンド・インタラクティブ・グラフィック・ストリームの構造は、第１から第ｎ番目までのメニューページを定義することが望ましい。
【００２１】
また、メニューページのうち少なくとも１つは、オンデマンド・インタラクティブ・グラフィック・ストリームがデコーディングされ、活性化準備ができていることを示す初期ボタンを含む初期メニューページであり、他のメニューページはオンデマンド・インタラクティブ・グラフィック・ストリームが活性化された後にディスプレイされるボタンを含むことが望ましい。
【発明の効果】
【００２２】
本発明によれば、オンデマンド・インタラクティブ・グラフィック・ストリームを用いてユーザの要求がある時にボタン等のインタラクティブ・グラフィックが画面に出力されるように制御しうる。
【００２３】
また、ＡＶデータの任意の区間別に、あるいはＡＶデータのチャプター別に相異なるオンデマンド・インタラクティブ・グラフィック・ストリームを構成することによって、該当区間に特化されたインタラクティブ・グラフィック・ストリームを構成しても良い。例えば、一定の機能を行うボタンの代わりに、マルチメディア映像中の一定区間内に存在する俳優、小品、撮影場所などの関連情報をユーザに提供しうる。
【００２４】
また、再生装置の機能の増加に伴ってリモコンの各ボタンに該当する機能をオンデマンド・インタラクティブ・グラフィック・ストリームを使用してメニュー形式で構成することによって、リモコンのボタン数を減らしうる。
【発明を実施するための最良の形態】
【００２５】
以下、添付した図面を参照して本発明の望ましい実施例を詳細に説明する。以下では、説明の便宜上、ユーザが望みの場合にだけ出力されるメニュー画面を提供するデータストリームをオンデマンドインタラクティブ・グラフィック・ストリームだとして、指定された時間に出力されるメニュー画面を提供するデータストリームを一般（ｎｏｒｍａｌ）インタラクティブ・グラフィック・ストリームだと略称する。
【００２６】
図３は、本発明に係るインタラクティブ・グラフィック・ストリームの構成を示す図である。図３を参照するに、インタラクティブ・グラフィック・ストリームは、デコーダの動作モデルを考慮してエポックという単位で構成される。複数のボタンで構成されたメニュー画面で１つのボタンを再生するための情報をインタラクティブ・グラフィック・オブジェクトと言う。１つのエポック内に含まれたあらゆるインタラクティブ・グラフィック・オブジェクトは後述するインタラクティブ・グラフィックデコーダ内のオブジェクトバッファにデコーディングされて保存され続け、次のエポックのデータが入らない限り、その内容は同一に保たれる。これにより、１つのエポック内では、毎度インタラクティブ・グラフィック・オブジェクトをデコーディングする必要がなく、既にデコーディングされてオブジェクトバッファに保存されたインタラクティブ・グラフィック・オブジェクトを再使用しうる。しかし、１つのエポックが終わり、次のエポックが始まる瞬間にデコーダ内のあらゆるバッファはリセットされ、保存されたあらゆるデータが消去される。もちろん、デコーダ内のバッファがリセットされる時点を１つのエポック内の所定の時点と定義することもある。
【００２７】
一方、インタラクティブ・グラフィック・オブジェクトの出力単位として図面のようにディスプレイセットが定義される。ディスプレイセットは、１つの画面に出力されるインタラクティブ・グラフィック・オブジェクトの集合を示し、１つのエポックは少なくとも１つ以上のディスプレイセットを含みうる。各ディスプレイセットは、３種がある。第１に、エポック開始（ｅｐｏｃｈ  ｓｔａｒｔ：以下、ＥＳと略称する）状態のディスプレイセットはエポックの開始を示し、このディスプレイセットには、インタラクティブ・グラフィックを構成するために必要なインタラクティブ・グラフィック構成情報やボタンのイメージに使われるオブジェクトデータのようなインタラクティブ・グラフィックを出力するためのあらゆるデータが含まれる。第２に、収集時点（Ａｃｑｕｓｉｔｉｏｎ  ｐｏｉｎｔ：以下ＡＰと略称する）のディスプレイセットはＥＳディスプレイセット以後に存在でき、ユーザのランダムサーチのような場合に対応してインタラクティブ・グラフィックを構成するためのあらゆる情報を含む。第３に、正規状態（Ｎｏｒａｍｌ  ｓｔａｔｅ：以下、ＮＣと略称する）であるディスプレイセットは以前のディスプレイセットで構成したインタラクティブ・グラフィックのうち変更が必要なデータ、すなわち更新されるデータだけを含んでいる。図面のように１つのエポックには、複数のディスプレイセットが含まれうる。エポックの開始部分にはＥＳディスプレイセットが存在し、それ以後にはＡＰまたはＮＣディスプレイセットが存在しうる。１つのエポックにおいてＥＳディスプレイセットは必須的に存在するが、ＡＰまたはＮＣディスプレイセットは選択的に存在する。
【００２８】
また、１つのディスプレイセットは、インタラクティブ・グラフィック・ストリームの構成情報を記録する構成セグメント、画面上に出力されるボタンなどの実際イメージのようなオブジェクトデータを記録する複数の定義セグメント、そしてディスプレイセットの端部を示す終了セグメントより構成される。構成セグメントには該当ディスプレイセットの出力完了時間情報、ボタン構成情報、ユーザの入力に関する再生装置の動作情報などを含む。構成セグメントは、ＩＣＳ（Ｉｎｔｅｒａｃｔｉｖｅ  Ｃｏｍｐｏｓｉｔｉｏｎ  Ｓｅｇｍｅｎｔ）という、データ構造を使用して具現しうる。定義セグメントにはボタンなどのイメージ情報を有しているオブジェクトデータを含むＯＤＳ（Ｏｂｊｅｃ  Ｄｅｆｉｎｉｔｉｏｎ  Ｓｅｇｍｅｎｔ）や前記ＯＤＳに適用される色相情報を含むＰＤＳ（Ｐａｌｅｔｔｅ  Ｄｅｆｉｎｉｔｉｏｎ  Ｓｅｇｍｅｎｔ）などが含まれる。
【００２９】
１つのディスプレイセット内の各セグメントは、ＭＰＥＧ−２伝送ストリーム（Ｔｒａｎｓｐｏｒｔ  Ｓｔｒｅａｍ：以下ＴＳと略称する）のパケット単位であるＰＥＳ（Ｐａｃｋｅｔｉｚｅｄ  Ｅｌｅｍｅｎｔａｒｙ  Ｓｔｒｅａｍ）に記録される。このＰＥＳに含まれたデコーディング時間であるＤＴＳ（Ｄｅｃｏｄｉｎｇ  Ｔｉｍｅ  Ｓｔａｍｐ）に該当ディスプレイセットをデコーディングし、プレゼンテーション時間であるＰＴＳ（Ｐｒｅｓｅｎｔａｔｉｏｎ  Ｔｉｍｅ  Ｓｔａｍｐ）に該当ディスプレイセットを画面上に出力し始める。また、該当ディスプレイセットの出力完了時間は前述した構成セグメントのデータ構造を示すＩＣＳに記録されているｃｏｍｐｏｓｉｔｉｏｎ＿ｔｉｍｅ＿ｏｕｔ＿ｐｔｓフィールドの値により決定される。
【００３０】
これにより、インタラクティブ・グラフィック・ストリームは指定された時間（ＰＴＳ）に画面に出力されてユーザの入力を受け、それによる動作を行って指定された出力完了時間（ｃｏｍｐｏｓｉｔｉｏｎ＿ｔｉｍｅ＿ｏｕｔ＿ｐｔｓ）に画面上で消える。しかし、指定時間だけを使用してインタラクティブ・グラフィック・ストリームを出力する場合、ユーザが所望しない場合でも指定された時間になれば、無条件メニュー画面を出力する。すなわち、ユーザの要求がある場合にのみメニュー画面を活性化させることはできない。
【００３１】
したがって、本発明では、ユーザとの相互作用を目的とするインタラクティブ・グラフィック・ストリームの機能を拡張し、ユーザの要求により活性化されるオンデマンド（ｏｎ−ｄｅｍａｎｄ）インタラクティブ・グラフィック・ストリームを定義する。本発明で定義するオンデマンド・インタラクティブ・グラフィック・ストリームと区別し、前述した指定された時間によって出力されるインタラクティブ・グラフィック・ストリームを一般のインタラクティブ・グラフィック・ストリームと表現する。
【００３２】
一般のインタラクティブ・グラフィック・ストリームは、前述したように指定された時間に画面に出力され、指定された時間に画面から消える。一方、オンデマンド・インタラクティブ・グラフィック・ストリームはあらゆるデータがデコーディングされて出力準備が完了した後、ユーザにより活性化要求が発生した場合にだけ画面上に出力され、ユーザから入力されて指定された動作を行う。すなわち、オンデマンド・インタラクティブ・グラフィック・ストリームは、画面出力時間情報（ＰＴＳ）により指定された時間になれば、ボタンのようなインタラクティブ・グラフィック・オブジェクトの有効期間が始まる点は同じであるが、ボタンが必ずしも画面に出力されねばならないものではなく、ユーザの要求により画面上での出力如何を決定するようになる。
【００３３】
一般のインタラクティブ・グラフィック・ストリームの場合、出力完了時間ｃｏｍｐｏｓｉｔｉｏｎ＿ｔｉｍｅ＿ｏｕｔ＿ｐｔｓが画面上でのボタンの出力完了時間を意味し、一方、オンデマンド・インタラクティブ・グラフィック・ストリームは、デコーダのバッファでのボタンと関連したデータの除去時点を意味する。すなわち、出力完了時間以後にはユーザからボタンの活性化要求が発生しても、これ以上活性化されるオンデマンド・インタラクティブ・グラフィック・ストリームが存在しないので、ユーザの活性化要求は無視される。
【００３４】
図４及び図５Ａ及び図５Ｂは、一般のインタラクティブ・グラフィック・ストリームと本発明に係るオンデマンド・インタラクティブ・グラフィック・ストリームとの動作差を説明するための図である。図４は、一般のインタラクティブ・グラフィック・ストリームの再生時の動作を説明するための図である。図４を参照するに、ＡＶデータ内に一般のインタラクティブ・グラフィック・ストリームが多重化されている。デコーディングされた一般のインタラクティブ・グラフィック・ストリームは、エポック開始状態のディスプレイセットの構成セグメント（ＩＣＳ）に含まれた画面出力時間情報（ＰＴＳ）によって画面上に出力される。この際、ユーザは画面上に出力されたボタンをナビゲーションするか、あるいは選択しうる。ユーザの入力によってボタンに割り当てられた指定された動作が行われる。
【００３５】
例えば、ボタン移動時には選択状態のボタンを変更してボタンの出力イメージをその状態に合わせて変更させる動作を行い、ユーザが特定のボタンを選択すれば該当ボタンに定義されているナビゲーション命令語による動作を行う。また、該当ボタンに定義された命令をＡＶデータの他の位置に移動させる命令である場合、現在の一般のインタラクティブ・グラフィック・ストリームの出力完了時間ｃｏｍｐｏｓｉｔｉｏｎ＿ｔｉｍｅ＿ｏｕｔ＿ｐｔｓに到達していないとしても、該当ボタンは画面上で消え、移動命令により指示される位置のＡＶデータが出力される。一方、該当ボタンに定義されている命令がＡＶデータの位置を移動する動作でない場合には、ボタンに定義されている命令を行った後、出力完了時間ｃｏｍｐｏｓｉｔｉｏｎ＿ｔｉｍｅ＿ｏｕｔ＿ｐｔｓまで各ボタンの出力が保持された後、出力完了時間が経過すれば、該当ボタンが画面上で消える。すなわち、一般のインタラクティブ・グラフィック・ストリームは指定された時間に画面上に出力されていて、指定された出力完了時間になれば画面上で消える。
【００３６】
一方、図５Ａ及び図５Ｂは、本発明に係るオンデマンド・インタラクティブ・グラフィック・ストリームの再生時の動作を説明するための図である。図５Ａを参照するに、ＡＶデータ内にオンデマンド・インタラクティブ・グラフィック・ストリームが多重化されている。オンデマンド・インタラクティブ・グラフィック・ストリームがデコーディングされれば、活性化準備が完了する。活性化準備が完了した後にも、該当ボタンは画面上に出力されず、ユーザの要求が発生する場合にのみ該当オンデマンド・インタラクティブ・グラフィック・ストリームが活性化されて画面上に出力され、ユーザから入力されうる。出力されたボタンは、出力完了時間ｃｏｍｐｏｓｉｔｉｏｎ＿ｔｉｍｅ＿ｏｕｔ＿ｐｔｓになれば、画面上で消える。また、エポックを出力完了時間までに定義することによって、出力完了時間になれば、デコーダのバッファにあるあらゆるデコーディングされたデータも消える。したがって、出力完了時間以後のユーザの活性化要求は無視される。
【００３７】
一方、図５Ｂを参照するに、図５Ａとは異なる例として、図４の一般のインタラクティブ・グラフィック・ストリームのエポックの定義と同様に、エポックを次のエポック開始状態のＩＣＳに到達する前までに定義することもできる。この場合には、次のエポック開始状態のＩＣＳに到達すれば、デコーダ内のバッファから関連データが全て除去されるので、出力完了時間ｃｏｍｐｏｓｉｔｉｏｎ＿ｔｉｍｅ＿ｏｕｔ＿ｐｔｓになっても、関連データをデコーダ内で除去する必要がない。但し、出力完了時間が経過された後にユーザからメニューに関する活性化要求が発生すれば、有効なインタラクティブディスプレイ期間が過ぎたことを認知し、該当ボタンを再生しない。すなわち、出力完了時間以後のユーザの活性化要求は無視される。
【００３８】
前述したようなオンデマンド・インタラクティブ・グラフィック・ストリームと一般のインタラクティブ・グラフィック・ストリームとは、基本的に同じデータ構造を有することが望ましい。但し、オンデマンド・インタラクティブ・グラフィック・ストリームの場合は、ユーザの活性化要求により画面上にボタンの出力如何を決定し、一方、一般のインタラクティブ・グラフィック・ストリームの場合、データ構造内に指定された時間によって画面上へのボタンの出力が異なるだけである。すなわち、二種のインタラクティブ・グラフィック・ストリームを区分する情報だけ追加すれば、同じデータ構造を用いて二種のインタラクティブ・グラフィック・ストリームの具現が可能である。
【００３９】
より具体的な実施例として、本発明に係るオンデマンド・インタラクティブ・グラフィック・ストリームと一般のインタラクティブ・グラフィック・ストリームとを区分して具現する方法としては次の通りである。
【００４０】
方法１：ＩＣＳの情報のうちｓｅｇｍｅｎｔ＿ｔｙｐｅで区分する方法と、
方法２：ＩＣＳにＩＣＳ＿ｔｙｐｅフィールドをさらに定義する方法と、
方法３：オンデマンド・インタラクティブ・グラフィック・ストリームを示す新たな構造体として、Ｏｎ＿ｄｅｍａｎｄ＿ＩＣＳ構造体を定義する方法と、がある。
【００４１】
図６Ａないし図６Ｃは、本発明に係るオンデマンド・インタラクティブ・グラフィック・ストリームを一般のインタラクティブ・グラフィック・ストリームと区分するための一実施例（方法１）を示す図である。図６Ａ及び図６Ｂを参照するに、グラフィックセグメントｇｒａｐｈｉｃ＿ｓｅｇｍｅｎｔ構造体は、セグメントの種類を示すセグメントタイプｓｅｇｍｅｎｔ＿ｔｙｐｅフィールド６０４を有する。図６Ｃにはセグメントタイプフィールド６０４が有し得るセグメントの種類が定義されている。本発明に係る方法１は、示されたように一般のインタラクティブ・グラフィック・ストリーム用のセグメントタイプは０ｘ１８という値を有し（６０６）、オンデマンド・インタラクティブ・グラフィック・ストリーム用のセグメントタイプは０ｘ１９という値を有するように（６０７）定義する。すなわち、方法１は、二種のインタラクティブ・グラフィック・ストリームが同じ構造体を使用しつつ、セグメントタイプを示すセグメントタイプフィールド６０４で両者を区別する方法である。
【００４２】
図７は、本発明に係るオンデマンド・インタラクティブ・グラフィック・ストリームを一般のインタラクティブ・グラフィック・ストリームと区分するための他の実施例（方法２）を示す図である。図７を参照するに、方法２によれば、オンデマンド及び一般のインタラクティブ・グラフィック・ストリームは、何れも同じ構造体ｉｎｔｅｒａｃｔｉｖｅ＿ｃｏｍｐｏｓｉｔｉｏｎ＿ｓｅｇｍｅｎｔを使用し、ＩＣＳ＿ｔｙｐｅ７０２で両者を区別する。すなわち、ＩＣＳ＿ｔｙｐｅが０であれば、一般のインタラクティブ・グラフィック・ストリームを表し、ＩＣＳ＿ｔｙｐｅが１であれば、オンデマンド・インタラクティブ・グラフィック・ストリームを示すように定義する。
【００４３】
図８は、本発明に係るオンデマンド・インタラクティブ・グラフィック・ストリームを一般のインタラクティブ・グラフィック・ストリームと区分するためのさらに他の実施例（方法３）を示す図である。図８を参照するに、新たに定義されたＯｎ＿ｄｅｍａｎｄ＿ＩＣＳ構造体が図示される。前述した方法１または方法２が同じ構造体を使用し、一方、方法３は、オンデマンド・インタラクティブ・グラフィック・ストリームのための新たな構造体を定義する。
【００４４】
オンデマンド・インタラクティブ・グラフィック・ストリームのための新たな構造体であるＯｎ＿ｄｅｍａｎｄ＿ＩＣＳ構造体は、一般のインタラクティブ・グラフィック・ストリームのための構造体とは異なって、オンデマンド・インタラクティブ・グラフィック・ストリームのデコーディングが完了してユーザにより活性化されうる状態であることをユーザに知らせるための最初のボタンを含むページ（ｉｎｉｔｉａｌ  ｏｕｔｐｕｔ  ｐａｇｅ）と、ユーザにより活性化された後に出力されるボタンを含むページ（１−ｏｕｔｐｕｔ  ｐａｇｅないしＮｔｈ−ｏｕｔｐｕｔ  ｐａｇｅ）、すなわち１番目のメニューページないしｎ番目のメニューページを段階別に分けて構成するように定義する。各出力されるページには少なくとも１つ以上の出力されるボタンに関する再生情報と該当ボタンが選択された場合に行われる命令情報とが含まれうる。
【００４５】
前述した本発明に係るオンデマンド・インタラクティブ・グラフィック・ストリームの具現例に基づき、本発明に係るオンデマンド・インタラクティブ・グラフィック・ストリームを支援する再生装置の構造を説明する。
【００４６】
図９及び図１０は、本発明に係るオンデマンド・インタラクティブ・グラフィック・ストリームを支援する再生装置の一実施例を示す図である。図９を参照するに、本発明に係る再生装置のインタラクティブ・グラフィックデコーダのブロック図が示されている。図２に示された保存媒体から読込まれたＡＶデータは、ＰＩＤ（Ｐａｃｋｅｔ  ＩＤｅｎｔｉｆｉｅｒ）フィルター９０２を通じてインタラクティブ・グラフィック・ストリームだけが選択的に伝送バッファ９０４に伝送された後、インタラクティブ・グラフィックデコーダ９１０でデコーディングされる。
【００４７】
一方、インタラクティブ・グラフィックデコーダ９１０内では、インタラクティブ・グラフィック・ストリームがコーディングデータバッファ９１２に一時保存されていて、ストリームグラフィック処理器９１４に伝送される。伝送されたインタラクティブ・グラフィック・ストリームは、ストリームグラフィック処理器９１４でデコーディングされ、ボタンイメージ用のオブジェクトデータはオブジェクトバッファ９１６に伝送され、ボタンの構成情報は、構成バッファ９１８に伝送される。グラフィック制御器９２０では伝送された各オブジェクトデータに対して該当構成情報を参照して出力されるイメージを構成し、構成されたイメージをグラフィック平面９３０に伝送する。すなわち、インタラクティブ・グラフィック・ストリームの出力開始時間のＰＴＳになれば、グラフィック制御器９２０の制御を受けて現在画面上に出力されるイメージを決定し、該決定されたイメージをオブジェクトバッファ９１６からグラフィック平面９３０に伝送する。伝送されたイメージは、該当構成情報に含まれた色相情報によって色相参照テーブル９３２（Ｃｏｌｏｒ  Ｌｏｏｋｕｐ  Ｔａｂｌｅ：ＣＬＵＴと略称する）を参照してイメージを出力する。また、グラフィック制御器９２０はユーザの入力（Ｕｓｅｒ  Ｏｐｅｒａｔｉｏｎ：ＵＯＰと略称する）を受けてボタンの移動や選択によるボタン状態を変更し、その結果を画面出力に適用させることもある。
【００４８】
特に、図９は、一般のインタラクティブ・グラフィック・ストリームとオンデマンド・インタラクティブ・グラフィック・ストリームとが同じバッファメモリを使用するように構成された再生装置のブロック図を示す。図面のように２種のインタラクティブ・グラフィック・ストリームがデコーダ９１０内の同じバッファを使用するので、瞬間的に一般のインタラクティブ・グラフィック・ストリームまたはオンデマンド・インタラクティブ・グラフィック・ストリームのうち何れか１つだけがデコーダのバッファ内に存在するようになる。すなわち、一度に１種のインタラクティブ・グラフィック・ストリームだけを処理しうる。
【００４９】
一方、図１０は、本発明に係るオンデマンド・インタラクティブ・グラフィック・ストリームを再生するための再生装置の他の実施例を示す図である。図１０を参照するに、一般のインタラクティブ・グラフィック・ストリームとオンデマンド・インタラクティブ・グラフィック・ストリームとが相異なるバッファメモリを使用するように構成された再生装置が図示されている。すなわち、一般のインタラクティブ・グラフィック・ストリームは一般のＩＣＳメモリ領域１０１０に保存され、オンデマンド・インタラクティブ・グラフィック・ストリームは、オンデマンドＩＣＳメモリ領域１０２０に保存される。したがって、二種のインタラクティブ・グラフィック・ストリームがバッファメモリに同時に存在しうる。この場合、オンデマンド・インタラクティブ・グラフィック・ストリームがバッファに存在する状態で一般のインタラクティブ・グラフィック・ストリームが入力された場合、またはその反対の場合に、デコーダのバッファメモリをリセットしなくても良いという長所がある。
【００５０】
但し、二種のインタラクティブ・グラフィック・ストリームが同時に画面上に出力される場合、ユーザの入力をどちらに伝送すべきかが不明であり、画面構成のための色相情報などの適用に問題が発生しうる。したがって、図には示されていないが、一般のインタラクティブ・グラフィック・ストリームとオンデマンド・インタラクティブ・グラフィック・ストリームのうち、出力されるストリームを選択する制御ブロックと各インタラクティブ・グラフィック・ストリーム用のＣＬＵＴブロックを各々具備することが望ましい。
【００５１】
図１１は、本発明に係るインタラクティブ・グラフィック・ストリームがＡＶデータ上に記録される実施例を示す図である。図１１を参照するに、（ａ）は、１つのＡＶデータ内にオンデマンド・インタラクティブ・グラフィック・ストリームだけが記録された場合を示す。（ｂ）は、１つのＡＶデータ内に一般のインタラクティブ・グラフィック・ストリームだけが記録された場合を示す。（ｃ）は、１つのＡＶデータ内に二種のインタラクティブ・グラフィック・ストリームが混ぜられて記録された場合を示す。（ｄ）は、１つのＡＶデータ内に二種のインタラクティブ・グラフィック・ストリームが混ぜられて記録されており、オンデマンド・インタラクティブ・グラフィック・ストリームが他のＡＶデータと別途に分離されて記録された場合を示す。特に、（ｄ）は、ＡＶデータの最初から読込む場合は、ＡＶデータの前部に記録されたオンデマンドＩＣＳデータを参照する。しかし、ＡＶデータの中間部分から読込む場合には、ＡＶデータにはオンデマンド・インタラクティブ・グラフィック・ストリームの構成情報だけが記録されており、実際のボタンイメージに関するオブジェクトデータは別途に記録されているために、ＡＶデータに含まれた構成情報を参照して分離記録されたオブジェクトデータを使用してボタンなどを出力する。この場合、オブジェクトデータを別途に記録することによって、不要なデータの重複を防止しうる。
【００５２】
以下、前述したオンデマンド・インタラクティブ・グラフィック・ストリームのデータ構造と再生装置の構造とに基づき、ユーザの活性化要求によってオンデマンド・インタラクティブ・グラフィック・ストリームが画面に出力される過程を説明する。
【００５３】
図１２及び図１３は、本発明に係るインタラクティブ・グラフィック・ストリームについての情報を記録する再生装置の状態レジスター構成の一実施例を示す図である。図１２を参照するに、再生装置の状態レジスター（Ｐｌａｙｅｒ  Ｓｔａｔｕｓ  Ｒｅｓｉｓｔｅｒ：以下ＰＳＲｓと略称する）は、ＡＶデータに含まれた複数のインタラクティブ・グラフィック・ストリームのうち現在再生中の、または今後再生するインタラクティブ・グラフィック・ストリームの番号を記録する。図面ではＰＳＲ  ０の０〜７番ビットに保存された例が図示されている。したがって、マルチメディア映像の再生を一時停止した後、また再生を始める場合にも状態レジスターＰＳＲ  ０を参照するに、直前に再生していたインタラクティブ・グラフィック・ストリームを再び再生しうる。
【００５４】
一方、本発明のように一般のインタラクティブ・グラフィック・ストリームだけでなくオンデマンド・インタラクティブ・グラフィック・ストリームを何れも支援する再生装置の場合には、現在状態レジスターＰＳＲ  ０に記録されたストリームの番号が一般のインタラクティブ・グラフィック・ストリーム用であるか、そうでなければ、オンデマンド・インタラクティブ・グラフィック・ストリーム用であるかを区別する必要がある。したがって、本発明に係る再生装置は、現在状態レジスターＰＳＲ  ０に記録されているインタラクティブ・グラフィック・ストリーム番号が一般用であるか、デマンド用であるかを区別するためのＩＣＳ＿ｕｓａｇｅフラッグを具備する。図１２では、ＰＳＲ  ０の３０番目のビットに保存された例が図示されている。すなわち、現在再生中のインタラクティブ・グラフィック・ストリームがオンデマンド用である場合には、このフラッグが１に設定され、一般用である場合にはこのフラッグが０に設定される。
【００５５】
また、オンデマンド・インタラクティブ・グラフィック・ストリームの場合、画面上に出力するか否かを選択できるようにｄｉｓｐ＿ｆｌａｇフラッグが定義される。図１２では、ＰＳＲ  ０の３１番目のビットに保存された例が図示されている。このフラッグが１に設定された場合、オンデマンド・インタラクティブ・グラフィック・ストリームの活性化準備が完了すれば、この事実をユーザに知らせるために、再生装置は最初出力画面を画面上に出力する。一方、このフラッグが０に設定されている場合、再生装置は画面上にインタラクティブ・グラフィックを出力しない。
【００５６】
一方、このフラッグが０に設定されており、オンデマンド・インタラクティブ・グラフィック・ストリームの活性化準備が完了した状態、すなわち、画面上にオンデマンド・インタラクティブ・グラフィック・ストリームが出力されないが、活性化準備が完了した場合の処理方法としては次のように２種が有り得る。第１に、ユーザから活性化要求が発生した場合、オンデマンド・インタラクティブ・グラフィック・ストリームが活性化されるように再生装置を構成する方法と、第２に、オンデマンド・インタラクティブ・グラフィック・ストリームを活性化せず、ユーザの要求を無視するように再生装置を構成する方法がそれである。
【００５７】
一方、図１３は、本発明に係るインタラクティブ・グラフィック・ストリームについての情報を記録する再生装置の状態レジスターの構成の他の実施例を示す図である。図１３を参照するに、二種のインタラクティブ・グラフィック・ストリームが相異なる状態レジスターに記録されるように構成された再生装置の場合を示す。一般のインタラクティブ・グラフィック・ストリームについての情報は、ＰＳＲ  ０に記録され、オンデマンド・インタラクティブ・グラフィック・ストリームについての情報は、ＰＳＲ  １１に記録された例が図示されている。
【００５８】
もし、ＩＣＳタイプが一般用であれば、ＰＳＲ  ０に一般のインタラクティブ・グラフィック・ストリームについての情報が記録され、オンデマンド用であれば、ＰＳＲ  １１に別途にオンデマンド・インタラクティブ・グラフィック・ストリームについての情報が記録されるので、図１２のようにインタラクティブ・グラフィック・ストリームのＩＣＳタイプを区分するためのＩＣＳ＿ｕｓａｇｅフラッグが不要である。但し、ＰＳＲ  １１には、オンデマンド・インタラクティブ・グラフィック・ストリームの活性化準備が完了した後、これをユーザに知らせるための最初出力ページを画面上に出力するか否かを示すｄｉｓｐ＿ｆｌａｇを定義する必要があり、その動作は図１２の説明と同様である。図では、ｄｉｓｐ＿ｆｌａｇがＰＳＲ  １１の３１番目のビットに保存された例が図示されている。
【００５９】
図１４は、ユーザにより発生するオンデマンド・インタラクティブ・グラフィック・ストリームの活性化要求を処理する過程を示す図である。図１４を参照するに、ユーザにより活性化要求が発生する場合、再生装置はインタラクティブ・グラフィックデコーダ９１０内にオンデマンド・インタラクティブ・グラフィック・ストリームの活性化準備が完了したかをチェックし、完了したならば画面上に該当オンデマンド・インタラクティブ・グラフィック・ストリームを出力し、ユーザから入力されうるようにフォーカスを設定する。これで、ユーザからボタン選択に関する入力を受ける準備が完了する。もし、活性化準備が完了していなければ、ユーザからの活性化要求を無視するか、出力するオンデマンド・インタラクティブ・グラフィック・ストリームが無いということをユーザに知らせるためのメッセージを出力する。
【００６０】
図１５Ａ及び図１５Ｂは、図１２または図１３に示されたｄｉｓｐ＿ｆｌａｇの設定状態に係る画面の出力状態を示す図である。図１５Ａを参照するに、ｄｉｓｐ＿ｆｌａｇが１である場合であって、オンデマンド・インタラクティブ・グラフィック・ストリームがデコーディングされて活性化準備が完了すれば、最初メニューページが画面上に出力されてユーザに活性化準備が完了したことを知らせる。ユーザからオンデマンド・インタラクティブ・グラフィック・ストリームに関する活性化要求が発生すれば、最初のメニューページが画面上に出力される。
【００６１】
図１５Ｂを参照するに、ｄｉｓｐ＿ｆｌａｇが０である場合であって、オンデマンド・インタラクティブ・グラフィック・ストリームがデコーディングされて活性化準備が完了しても最初メニューページが画面上に出力されない。但し、ユーザからオンデマンド・インタラクティブ・グラフィック・ストリームに関する活性化要求が発生すれば、再生装置はこの要求を無視するように構成されるか、または最初のメニューページが画面上に出力されるように構成されうる。
【００６２】
図１６は、ｄｉｓｐ＿ｆｌａｇの設定を変更するための一実施例を示す図である。図１６を参照するに、オンデマンド・インタラクティブ・グラフィック・ストリームの出力をオン／オフするメニュー項目が定義された再生装置のシステムメニューが図示されている。ユーザがシステムメニューでＯｎ−ｄｅｍａｎｄ  ＩＣＳ  ＤｉｓｐｌａｙをＯｎに設定すれば、再生装置の状態レジスターのうちオンデマンド・インタラクティブ・グラフィック・ストリームについての情報を保存している状態レジスター、例えば、前述したＰＳＲ  ０またはＰＳＲ  １１のような状態レジスターのｄｉｓｐ＿ｆｌａｇを１に設定する。一方、システムメニューでＯｎ−ｄｅｍａｎｄ  ＩＣＳ  ＤｉｓｐｌａｙをＯｆｆに設定すれば、再生装置は状態レジスターのｄｉｓｐ＿ｆｌａｇを０に設定する。このようにシステムメニューというユーザインターフェースを通じてｄｉｓｐ＿ｆｌａｇを再設定しうる。
【００６３】
図１７は、ｄｉｓｐ＿ｆｌａｇの設定を変更するための他の実施例を示す図である。一方、図１７を参照するに、オンデマンド・インタラクティブ・グラフィック・ストリームの出力をオン／オフするボタンを備えたリモコンが図示されている。ユーザは、該当ボタンを押して再生装置の状態レジスターのｄｉｓｐ＿ｆｌａｇ値を０または１に再設定しうる。
【００６４】
前述したインタラクティブ・グラフィック・ストリームのデータ構造と再生装置の構造とに基づいて、本発明に係る再生方法を説明すれば次の通りである。
【００６５】
図１８及び図１９は、本発明に係るインタラクティブ・グラフィック・ストリームを記録した保存媒体の再生方法を示すフローチャートである。図１８を参照するに、一般のインタラクティブ・グラフィック・ストリーム及び／またはオンデマンド・インタラクティブ・グラフィック・ストリームを記録した保存媒体からインタラクティブ・グラフィック・ストリームを読込み（１８０２段階）、読込まれたインタラクティブ・グラフィック・ストリームをデコーディングする（１８０４段階）。デコーディングされたインタラクティブ・グラフィック・ストリームの種類を確認し（１８０６段階）、一般のインタラクティブ・グラフィック・ストリームであれば、指定された出力時間にビデオデータとブレンドして画面に出力する（１８０８段階）。もし、オンデマンド・インタラクティブ・グラフィック・ストリームであれば、ユーザの活性化要求がある場合にだけデコーディングされたインタラクティブ・グラフィック・ストリームをビデオデータとブレンドして画面に出力する（１８１０段階）。
【００６６】
図１９は、オンデマンド・インタラクティブ・グラフィック・ストリームの再生過程をさらに詳細に説明したフローチャートである。図１９を参照するに、デコーディングされたインタラクティブ・グラフィック・ストリームがオンデマンドタイプであれば、再生装置の状態レジスターでオンデマンド・インタラクティブ・グラフィック・ストリームを画面に出力するか否かを示すフラッグｄｉｓｐ＿ｆｌａｇ値を読込み（１９０２段階）、その値が１であれば（１９０４段階）、オンデマンド・インタラクティブ・グラフィック・ストリームの活性化準備が完了したことをユーザに知らせる最初のメニューページを画面に出力する（１９０６段階）。出力された最初のメニューページに対してユーザが活性化要求を入力すれば（１９０８段階）、ユーザの入力によって該当するメニューページを画面に出力する（１９１０段階）。
【００６７】
一方、フラッグｄｉｓｐ＿ｆｌａｇ値が０であれば、画面に如何なる出力もせず、ユーザの活性化要求があっても（１９２０段階）、その活性化要求を無視する（１９２２段階）。示されていないが、本発明の他の実施例として、フラッグｄｉｓｐ＿ｆｌａｇ値が０であれば、画面に如何なる出力もせず、リモコンのようなユーザインターフェースを通じて活性化要求が入力されて初めて、最初のメニューページを出力するように再生装置を構成しても良い。
【００６８】
前述したように本発明で定義したオンデマンド・インタラクティブ・グラフィック・ストリームを使用すれば、インタラクティブ・グラフィック・ストリームが指定された時間に出力されて指定された時間に画面上で消える動作だけでなく、ユーザの要求がある時にのみ画面上に出力されるように制御しうる。
【００６９】
以上の説明は、本発明の一実施例に過ぎず、本発明が属する技術分野で当業者ならば、本発明の本質的特性から外れない範囲で変形された形に具現できるであろう。すなわち、本発明に係る実施例に限定されず、特許請求の範囲に記載された内容と同等な範囲内にある多様な実施形態が含まれるように解釈されねばならない。
【産業上の利用可能性】
【００７０】
本発明は、ユーザの要求がある時、または指定された時間に、ボタンやメニュー画面などのインタラクティブ・グラフィックを画面に出力しうる動映像再生装置に適用しうる。
【図面の簡単な説明】
【００７１】
【図１】保存媒体に記録されたＡＶデータの構造を示す図である。
【図２】ＡＶデータを記録した保存媒体を再生するための再生装置の構造を示す図である。
【図３】本発明に係るインタラクティブ・グラフィック・ストリームの構成を示す図である。
【図４】一般のインタラクティブ・グラフィック・ストリームの再生時の動作を説明するための図である。
【図５Ａ】本発明に係るオンデマンド・インタラクティブ・グラフィック・ストリームの再生時の動作を説明するための図である。
【図５Ｂ】本発明に係るオンデマンド・インタラクティブ・グラフィック・ストリームの再生時の動作を説明するための図である。
【図６Ａ】本発明に係るオンデマンド・インタラクティブ・グラフィック・ストリームを一般のインタラクティブ・グラフィック・ストリームと区分するための一実施例を示す図である。
【図６Ｂ】本発明に係るオンデマンド・インタラクティブ・グラフィック・ストリームを一般のインタラクティブ・グラフィック・ストリームと区分するための一実施例を示す図である。
【図６Ｃ】本発明に係るオンデマンド・インタラクティブ・グラフィック・ストリームを一般のインタラクティブ・グラフィック・ストリームと区分するための一実施例を示す図である。
【図７】本発明に係るオンデマンド・インタラクティブ・グラフィック・ストリームを一般のインタラクティブ・グラフィック・ストリームと区分するための他の実施例を示す図である。
【図８】本発明に係るオンデマンド・インタラクティブ・グラフィック・ストリームを一般のインタラクティブ・グラフィック・ストリームと区分するためのさらに他の実施例を示す図である。
【図９】本発明に係るオンデマンド・インタラクティブ・グラフィック・ストリームを再生するための再生装置の一実施例を示す図である。
【図１０】本発明に係るオンデマンド・インタラクティブ・グラフィック・ストリームを再生するための再生装置の他の実施例を示す図である。
【図１１】本発明に係るインタラクティブ・グラフィック・ストリームがＡＶデータ上に記録される実施例を示す図である。
【図１２】本発明に係るインタラクティブ・グラフィック・ストリームについての情報を記録する再生装置の状態レジスターの構成の一実施例を示す図である。
【図１３】本発明に係るインタラクティブ・グラフィック・ストリームについての情報を記録する再生装置の状態レジスターの構成の他の実施例を示す図である。
【図１４】ユーザによって発生するオンデマンド・インタラクティブ・グラフィック・ストリームの活性化要求を処理する過程を示す図である。
【図１５Ａ】図１２または図１３に示されたｄｉｓｐ＿ｆｌａｇの設定状態による画面の出力状態を示す図である。
【図１５Ｂ】図１２または図１３に示されたｄｉｓｐ＿ｆｌａｇの設定状態による画面の出力状態を示す図である。
【図１６】ｄｉｓｐ＿ｆｌａｇの設定を変更するための一実施例を示す図である。
【図１７】ｄｉｓｐ＿ｆｌａｇの設定を変更するための他の実施例を示す図である。
【図１８】本発明に係るインタラクティブ・グラフィック・ストリームを記録した保存媒体の再生方法を示すフローチャートである。
【図１９】オンデマンド・インタラクティブ・グラフィック・ストリームの再生過程をさらに詳細に説明したフローチャートである。
【符号の説明】
【００７２】
９０２    ＰＩＤ
９０４    伝送バッファ
９１０    インタラクティブ・グラフィック・デコーダ
９１２    コーディングデータバッファ
９１４    ストリームグラフィック処理器
９１６    オブジェクトバッファ
９１８    構成バッファ
９２０、１０１０、１０２０  グラフィック制御器
９３０    グラフィック平面
９３２    色相参照テーブル
【図１】
0004658013.tif 000002
【図２】
0004658013.tif 000003
【図３】
0004658013.tif 000004
【図４】
0004658013.tif 000005
【図５Ａ】
0004658013.tif 000006
【図５Ｂ】
0004658013.tif 000007
【図６Ａ】
0004658013.tif 000008
【図６Ｂ】
0004658013.tif 000009
【図６Ｃ】
0004658013.tif 000010
【図７】
0004658013.tif 000011
【図８】
0004658013.tif 000012
【図９】
0004658013.tif 000013
【図１０】
0004658013.tif 000014
【図１１】
0004658013.tif 000015
【図１２】
0004658013.tif 000016
【図１３】
0004658013.tif 000017
【図１４】
0004658013.tif 000018
【図１５Ａ】
0004658013.tif 000019
【図１５Ｂ】
0004658013.tif 000020
【図１６】
0004658013.tif 000021
【図１７】
0004658013.tif 000022
【図１８】
0004658013.tif 000023
【図１９】
0004658013.tif 000024